(57)【要約】【課題】視野検査に要する時間を短縮でき且つ正確な検査値を得る、視野検査装置、その制御方法及び視野検査プログラムを提供する。【解決手段】１回目の視野検査にて得られる結果値ｘ１に対する確率密度関数ｆ（ｘ１）を得る工程（１）を行う第１の確率密度関数取得部と、確率密度関数ｆ（ｘ１）の確率密度が分かれるようにｘ１の範囲から刺激閾値ｔ１を設定する工程（２）を行う刺激閾値決定部と、１回目の視野検査にてｔ１以上の結果が得られるか否かの検査結果を得る工程（３）を行う検査結果取得部と、確率密度関数ｆ（ｘ１）にてｔ１以上又はｔ１未満の確率密度を減じてなる確率密度関数ｆ（ｘ２）を得る工程（４）を行う第２の確率密度関数取得部と、確率密度関数ｆ（ｘ２）の標準偏差σが所定値未満に収まる状態になったか否かを判定する工程（５）を行う判定部と、を有する視野検査装置、その制御方法及び視野検査プログラムを提供できる。【選択図】図１
2019162254.tif 000002
【特許請求の範囲】
【請求項１】
被検者にとっての前回検査時からの経過年数、年齢、検査座標、既往有無、病名、病期、過去に視野検査で用いた推定閾値、過去の視野検査結果に対する信頼性を示す指標のうち少なくとも２つを採用した条件下での確率密度関数であって、１回目の視野検査にて得られる結果値ｘ１に対する確率密度関数ｆ（ｘ１）を得る工程（１）を行う第１の確率密度関数取得部と、
確率密度関数ｆ（ｘ１）のｘ１の範囲から刺激閾値ｔ１を設定する工程（２）を行う刺激閾値決定部と、
１回目の視野検査にてｔ１以上の結果が得られるか否かの検査結果を得る工程（３）を行う検査結果取得部と、
ｔ１以上の検査結果が得られた場合は、確率密度関数ｆ（ｘ１）にてｔ１未満の確率密度を減じてなる確率密度関数ｆ（ｘ２）を得る一方、ｔ１以上の結果が得られなかった場合は、確率密度関数ｆ（ｘ１）にてｔ１以上の確率密度を減じてなる確率密度関数ｆ（ｘ２）を得る工程（４）を行う第２の確率密度関数取得部と、
確率密度関数ｆ（ｘ２）の標準偏差σが所定値未満に収まる状態になったか否かを判定する工程（５）を行う判定部と、
を有し、
前記判定部にて標準偏差σが所定値未満に収まる状態になった場合は、確率密度関数ｆ（ｘ２）で最も確率密度の高いｘ２の値を検査値とみなすことで検査を終了し、
前記判定部にて標準偏差σが所定値未満に収まる状態にならなかった場合は、前記刺激閾値決定部、検査結果取得部、第２の確率密度関数取得部、判定部において、１回目を２回目と置き換え、ｘ２をｘ３と置き換え、ｘ１をｘ２と置き換え、刺激閾値ｔ１をｔ２と置き換え、且つ第２の確率密度関数取得工程を第３の確率密度関数取得工程と置き換えたうえで、検査結果に応じて確率密度を減じてなる確率密度関数ｆ（ｘ３）の標準偏差σが収まる状態になったと判定されるまで前記（２）（３）（４）（５）を順に繰り返す、視野検査装置。
【請求項２】
前記検査結果取得部は視野計である、請求項１に記載の視野検査装置。
【請求項３】
前記第２の確率密度関数取得部では、確率密度関数ｆ（ｘ１）に対して応答関数を乗じることにより確率密度を減じる、請求項１又は２に記載の視野検査装置。
【請求項４】
前記判定部にて標準偏差σが収まる所定値は１．０〜３．５ｄＢの範囲の値である、請求項１〜３のいずれかに記載の視野検査における視野検査装置。
【請求項５】
被検者にとっての前回検査時からの経過年数、年齢、検査座標、既往有無、病名、病期、過去に視野検査で用いた推定閾値、過去の視野検査結果に対する信頼性を示す指標のうち少なくとも２つを採用した条件下での確率密度関数であって、１回目の視野検査にて得られる結果値ｘ１に対する確率密度関数ｆ（ｘ１）を得る第１の確率密度関数取得工程（１）を第１の確率密度関数取得部が行い、
確率密度関数ｆ（ｘ１）のｘ１の範囲から刺激閾値ｔ１を設定する刺激閾値決定工程（２）を刺激閾値決定部が行い、
１回目の視野検査にてｔ１以上の結果が得られるか否かの検査結果を得る検査結果取得工程（３）を検査結果取得部が行い、
ｔ１以上の検査結果が得られた場合は、確率密度関数ｆ（ｘ１）にてｔ１未満の確率密度を減じてなる確率密度関数ｆ（ｘ２）を得る一方、ｔ１以上の結果が得られなかった場合は、確率密度関数ｆ（ｘ１）にてｔ１以上の確率密度を減じてなる確率密度関数ｆ（ｘ２）を得る第２の確率密度関数取得工程（４）を第２の確率密度関数取得部が行い、
確率密度関数ｆ（ｘ２）の標準偏差σが所定値未満に収まる状態になったか否かを判定する判定工程（５）を判定部が行うよう視野検査装置を制御する方法であって、
前記（５）にて標準偏差σが所定値未満に収まる状態になった場合は、確率密度関数ｆ（ｘ２）で最も確率密度の高いｘ２の値を検査値とみなすことで検査を終了し、
前記（５）にて標準偏差σが所定値未満に収まる状態にならなかった場合は、前記（２）（３）（４）（５）において、１回目を２回目と置き換え、ｘ２をｘ３と置き換え、ｘ１をｘ２と置き換え、刺激閾値ｔ１をｔ２と置き換え、且つ第２の確率密度関数取得工程を第３の確率密度関数取得工程と置き換えたうえで、検査結果に応じて確率密度を減じてなる確率密度関数ｆ（ｘ３）の標準偏差σが所定値未満に収まる状態になったと判定されるまで前記（２）（３）（４）（５）を順に繰り返すよう視野検査装置を制御する、視野検査装置の制御方法。
【請求項６】
前記（２）（３）（４）（５）を行う回数は３回以下である、請求項５に記載の視野検査装置の制御方法。
【請求項７】
前記（４）では、確率密度関数ｆ（ｘ１）に対して応答関数を乗じることにより確率密度を減じる、請求項５又は６に記載の視野検査装置の制御方法。
【請求項８】
前記（５）にて標準偏差σが収まる所定値は１．０〜３．５ｄＢの範囲の値である、請求項５〜７のいずれかに記載の視野検査装置の制御方法。
【請求項９】
被検者にとっての前回検査時からの経過年数、年齢、検査座標、既往有無、病名、病期、過去に視野検査で用いた推定閾値、過去の視野検査結果に対する信頼性を示す指標のうち少なくとも２つを採用した条件下での確率密度関数であって、１回目の視野検査にて得られる結果値ｘ１に対する確率密度関数ｆ（ｘ１）を得る工程（１）を行う第１の確率密度関数取得部、
確率密度関数ｆ（ｘ１）のｘ１の範囲から刺激閾値ｔ１を設定する工程（２）を行う刺激閾値決定部、
１回目の視野検査にてｔ１以上の結果が得られるか否かの検査結果を得る工程（３）を行う検査結果取得部、
ｔ１以上の検査結果が得られた場合は、確率密度関数ｆ（ｘ１）にてｔ１未満の確率密度を減じてなる確率密度関数ｆ（ｘ２）を得る一方、ｔ１以上の結果が得られなかった場合は、確率密度関数ｆ（ｘ１）にてｔ１以上の確率密度を減じてなる確率密度関数ｆ（ｘ２）を得る工程（４）を行う第２の確率密度関数取得部、及び
確率密度関数ｆ（ｘ２）の標準偏差σが所定値未満に収まる状態になったか否かを判定する工程（５）を行う判定部、
としてコンピュータ装置を機能させるプログラムであって、
前記判定部にて標準偏差σが所定値未満に収まる状態になった場合は、確率密度関数ｆ（ｘ２）で最も確率密度の高いｘ２の値を検査値とみなすことで検査を終了し、
前記判定部にて標準偏差σが所定値未満に収まる状態にならなかった場合は、前記刺激閾値決定部、検査結果取得部、第２の確率密度関数取得部、判定部において、１回目を２回目と置き換え、ｘ２をｘ３と置き換え、ｘ１をｘ２と置き換え、刺激閾値ｔ１をｔ２と置き換え、且つ第２の確率密度関数取得工程を第３の確率密度関数取得工程と置き換えたうえで、検査結果に応じて確率密度を減じてなる確率密度関数ｆ（ｘ３）の標準偏差σが所定値未満に収まる状態になったと判定されるまで前記（２）（３）（４）（５）を順に繰り返す、視野検査プログラム。
【請求項１０】
前記（２）（３）（４）（５）を行う回数は３回以下である、請求項９に記載の視野検査プログラム。
【請求項１１】
前記（４）では、確率密度関数ｆ（ｘ１）に対して応答関数を乗じることにより確率密度を減じる、請求項９又は１０に記載の視野検査プログラム。
【請求項１２】
前記（５）にて標準偏差σが収まる所定値は１．０〜３．５ｄＢの範囲の値である、請求項９〜１１のいずれかに記載の視野検査プログラム。
【発明の詳細な説明】
【技術分野】
【０００１】
本発明は、視野検査装置、その制御方法及び視野検査プログラムに関する。
【背景技術】
【０００２】
視野検査の際に、過去の視野検査の種類と異なる種類の視野検査を行う場合、過去の視野検査の感度分布データから、これから行うべき視野検査の対応する視野座標における指標の初期輝度を、感度分布データに示された感度に等しいか近い値の輝度に演算決定する技術が知られている（特許文献１の［請求項１］）。
【先行技術文献】
【特許文献】
【０００３】
【特許文献１】特開２００８−３６２９５号公報
【発明の概要】
【発明が解決しようとする課題】
【０００４】
特許文献１に記載の内容の課題は、異なる視野検査を効率的に行うことである。その一方、そもそも一つの種類の視野検査に要する時間を短縮することも有用である。時間を短縮しつつ、正確な検査値を得ることも重要である。
【０００５】
そこで本発明の目的は、視野検査に要する時間を短縮でき且つ正確な検査値を得る、視野検査装置、その制御方法及び視野検査プログラムを提供することである。
【課題を解決するための手段】
【０００６】
特許文献１に記載のスクリーニング検査にしても、閾値検査にしても、１回目の視野検査での視標の輝度（以降、単位はｄＢ）と、２回目の視野検査での視標の輝度との差は、予め設定された所定値である。
【０００７】
本発明者は、１回目及びそれ以降の視野検査での視標の輝度を、対象となる被検者以外の者に対する視野検査により蓄積されたデータ（以降、ビッグデータとも称する。）に基づいて決定するという手法を想到した。
【０００８】
つまり、ビッグデータに基づいて被検者の検査条件を決定するという手法を想到した。更に言うと、実際に行った１回目の視野検査にて得られる結果値とビッグデータとから、検査を収束させるための終了条件を決定するという手法を想到した。
【０００９】
以上の知見に基づいて成された本発明の態様は、以下の通りである。
【００１０】
第１の態様は、
被検者にとっての前回検査時からの経過年数、年齢、検査座標、既往有無、病名、病期、過去に視野検査で用いた推定閾値、過去の視野検査結果に対する信頼性を示す指標のうち少なくとも２つを採用した条件下での確率密度関数であって、１回目の視野検査にて得られる結果値ｘ１に対する確率密度関数ｆ（ｘ１）を得る工程（１）を行う第１の確率密度関数取得部と、
確率密度関数ｆ（ｘ１）のｘ１の範囲から刺激閾値ｔ１を設定する工程（２）を行う刺激閾値決定部と、
１回目の視野検査にてｔ１以上の結果が得られるか否かの検査結果を得る工程（３）を行う検査結果取得部と、
ｔ１以上の検査結果が得られた場合は、確率密度関数ｆ（ｘ１）にてｔ１未満の確率密度を減じてなる確率密度関数ｆ（ｘ２）を得る一方、ｔ１以上の結果が得られなかった場合は、確率密度関数ｆ（ｘ１）にてｔ１以上の確率密度を減じてなる確率密度関数ｆ（ｘ２）を得る工程（４）を行う第２の確率密度関数取得部と、
確率密度関数ｆ（ｘ２）の標準偏差σが所定値未満に収まる状態になったか否かを判定する工程（５）を行う判定部と、
を有し、
前記判定部にて標準偏差σが所定値未満に収まる状態になった場合は、確率密度関数ｆ（ｘ２）で最も確率密度の高いｘ２の値を検査値とみなすことで検査を終了し、
前記判定部にて標準偏差σが所定値未満に収まる状態にならなかった場合は、前記刺激閾値決定部、検査結果取得部、第２の確率密度関数取得部、判定部において、１回目を２回目と置き換え、ｘ２をｘ３と置き換え、ｘ１をｘ２と置き換え、刺激閾値ｔ１をｔ２と置き換え、且つ第２の確率密度関数取得工程を第３の確率密度関数取得工程と置き換えたうえで、検査結果に応じて確率密度を減じてなる確率密度関数ｆ（ｘ３）の標準偏差σが収まる状態になったと判定されるまで前記（２）（３）（４）（５）を順に繰り返す、視野検査装置である。
【００１１】
第２の態様は、第１の態様に記載の態様であって、
前記検査結果取得部は視野計である。
【００１２】
第３の態様は、第１又は第２の態様に記載の態様であって、
前記第２の確率密度関数取得部では、確率密度関数ｆ（ｘ１）に対して応答関数を乗じることにより確率密度を減じる。
【００１３】
第４の態様は、第１〜第３のいずれかの態様に記載の態様であって、
前記判定部にて標準偏差σが収まる所定値は１．０〜３．５ｄＢの範囲の値である。
【００１４】
第５の態様は、
被検者にとっての前回検査時からの経過年数、年齢、検査座標、既往有無、病名、病期、過去に視野検査で用いた推定閾値、過去の視野検査結果に対する信頼性を示す指標のうち少なくとも２つを採用した条件下での確率密度関数であって、１回目の視野検査にて得られる結果値ｘ１に対する確率密度関数ｆ（ｘ１）を得る第１の確率密度関数取得工程（１）と、
確率密度関数ｆ（ｘ１）のｘ１の範囲から刺激閾値ｔ１を設定する刺激閾値決定工程（２）と、
１回目の視野検査にてｔ１以上の結果が得られるか否かの検査結果を得る検査結果取得工程（３）と、
ｔ１以上の検査結果が得られた場合は、確率密度関数ｆ（ｘ１）にてｔ１未満の確率密度を減じてなる確率密度関数ｆ（ｘ２）を得る一方、ｔ１以上の結果が得られなかった場合は、確率密度関数ｆ（ｘ１）にてｔ１以上の確率密度を減じてなる確率密度関数ｆ（ｘ２）を得る第２の確率密度関数取得工程（４）と、
確率密度関数ｆ（ｘ２）の標準偏差σが所定値未満に収まる状態になったか否かを判定する判定工程（５）と、
を有し、
前記（５）にて標準偏差σが所定値未満に収まる状態になった場合は、確率密度関数ｆ（ｘ２）で最も確率密度の高いｘ２の値を検査値とみなすことで検査を終了し、
前記（５）にて標準偏差σが所定値未満に収まる状態にならなかった場合は、前記（２）（３）（４）（５）において、１回目を２回目と置き換え、ｘ２をｘ３と置き換え、ｘ１をｘ２と置き換え、刺激閾値ｔ１をｔ２と置き換え、且つ第２の確率密度関数取得工程を第３の確率密度関数取得工程と置き換えたうえで、検査結果に応じて確率密度を減じてなる確率密度関数ｆ（ｘ３）の標準偏差σが所定値未満に収まる状態になったと判定されるまで前記（２）（３）（４）（５）を順に繰り返すよう視野検査装置を制御する、視野検査装置の制御方法である。
【００１５】
第６の態様は、第５の態様に記載の態様であって、
前記（２）（３）（４）（５）を行う回数は３回以下である。
【００１６】
第７の態様は、第５又は第６の態様に記載の態様であって、
前記（４）では、確率密度関数ｆ（ｘ１）に対して応答関数を乗じることにより確率密度を減じる。
【００１７】
第８の態様は、第５〜第７のいずれかの態様に記載の態様であって、
前記（５）にて標準偏差σが収まる所定値は１．０〜３．５ｄＢの範囲の値である。
【００１８】
第９の態様は、
被検者にとっての前回検査時からの経過年数、年齢、検査座標、既往有無、病名、病期、過去に視野検査で用いた推定閾値、過去の視野検査結果に対する信頼性を示す指標のうち少なくとも２つを採用した条件下での確率密度関数であって、１回目の視野検査にて得られる結果値ｘ１に対する確率密度関数ｆ（ｘ１）を得る工程（１）を行う第１の確率密度関数取得部、
確率密度関数ｆ（ｘ１）のｘ１の範囲から刺激閾値ｔ１を設定する工程（２）を行う刺激閾値決定部、
１回目の視野検査にてｔ１以上の結果が得られるか否かの検査結果を得る工程（３）を行う検査結果取得部、
ｔ１以上の検査結果が得られた場合は、確率密度関数ｆ（ｘ１）にてｔ１未満の確率密度を減じてなる確率密度関数ｆ（ｘ２）を得る一方、ｔ１以上の結果が得られなかった場合は、確率密度関数ｆ（ｘ１）にてｔ１以上の確率密度を減じてなる確率密度関数ｆ（ｘ２）を得る工程（４）を行う第２の確率密度関数取得部、及び
確率密度関数ｆ（ｘ２）の標準偏差σが所定値未満に収まる状態になったか否かを判定する工程（５）を行う判定部、
としてコンピュータ装置を機能させるプログラムであって、
前記判定部にて標準偏差σが所定値未満に収まる状態になった場合は、確率密度関数ｆ（ｘ２）で最も確率密度の高いｘ２の値を検査値とみなすことで検査を終了し、
前記判定部にて標準偏差σが所定値未満に収まる状態にならなかった場合は、前記刺激閾値決定部、検査結果取得部、第２の確率密度関数取得部、判定部において、１回目を２回目と置き換え、ｘ２をｘ３と置き換え、ｘ１をｘ２と置き換え、刺激閾値ｔ１をｔ２と置き換え、且つ第２の確率密度関数取得工程を第３の確率密度関数取得工程と置き換えたうえで、検査結果に応じて確率密度を減じてなる確率密度関数ｆ（ｘ３）の標準偏差σが所定値未満に収まる状態になったと判定されるまで前記（２）（３）（４）（５）を順に繰り返す、視野検査プログラムである。
【００１９】
第１０の態様は、第９の態様に記載の態様であって、
前記（２）（３）（４）（５）を行う回数は３回以下である。
【００２０】
第１１の態様は、第９又は第１０の態様に記載の態様であって、
前記（４）では、確率密度関数ｆ（ｘ１）に対して応答関数を乗じることにより確率密度を減じる。
【００２１】
第１２の態様は、第９〜第１１のいずれかの態様に記載の態様であって、
前記（５）にて標準偏差σが収まる所定値は１．０〜３．５ｄＢの範囲の値である。
【発明の効果】
【００２２】
本発明によれば、視野検査に要する時間を短縮でき且つ正確な検査値を得る、視野検査装置、その制御方法及び視野検査プログラムを提供できる。
【図面の簡単な説明】
【００２３】
【図１】図１は、本実施形態の視野検査装置にて各部が行う工程（視野検査装置の制御方法）を示すフローチャートである。
【図２】図２（ａ）は、「年齢：４０歳」「検査座標：［−２７，−３］」を選択した場合の確率密度関数ｆ（ｘ１）を示すプロットである。図２（ｂ）は、「年齢：７０歳」「検査座標：［−２７，−３］」を選択した場合の確率密度関数ｆ（ｘ１）を示すプロットである。
【図３】図３（ａ）は、「年齢：４０歳」「検査座標：［−２７，−３］」を選択した場合の確率密度関数ｆ（ｘ１）を示すプロットである。図３（ｂ）は、「年齢：４０歳」「検査座標：［−９，−３］」を選択した場合の確率密度関数ｆ（ｘ１）を示すプロットである。
【図４】図４（ａ）は、「年齢：４０歳」「検査座標：［−２７，−３］」「緑内障既往有無：無し」を選択した場合の確率密度関数ｆ（ｘ１）を示すプロットである。図４（ｂ）は、「年齢：４０歳」「検査座標：［−２７，−３］」「緑内障既往有無：有り（罹患中）」を選択した場合の確率密度関数ｆ（ｘ１）を示すプロットである。
【図５】図５（ａ）は、「年齢：４０歳」「検査座標：［−２７，−３］」を選択した場合の確率密度関数ｆ（ｘ１）を示すプロットである。図５（ｂ）は、実施例１における、１回目の視野検査後の確率密度関数ｆ（ｘ２）を示すプロットである。図５（ｃ）は、実施例１における、２回目の視野検査後の確率密度関数ｆ（ｘ３）を示すプロットである。図５（ｄ）は、実施例１における、３回目の視野検査後の確率密度関数ｆ（ｘ４）を示すプロットである。
【図６】図６は、実施例１における１回目の視野検査後に使用する応答関数を示すプロットである。
【図７】図７（ａ）は、実施例２における、「年齢：４０歳」「検査座標：［−２７，−３］」を選択した場合の確率密度関数ｆ（ｘ１）を示すプロットである。図７（ｂ）は、実施例２における、１回目の視野検査後の確率密度関数ｆ（ｘ２）を示すプロットである。図７（ｃ）は、実施例２における、２回目の視野検査後の確率密度関数ｆ（ｘ３）を示すプロットである。図７（ｄ）は、実施例２における、３回目の視野検査後の確率密度関数ｆ（ｘ４）を示すプロットである。
【図８】図８（ａ）は、実施例３における、「年齢：４０歳」「検査座標：［−２７，−３］」「緑内障既往有無：有り（罹患中）」を選択した場合の確率密度関数ｆ（ｘ１）を示すプロットである。図８（ｂ）は、実施例３における、１回目の視野検査後の確率密度関数ｆ（ｘ２）を示すプロットである。図８（ｃ）は、実施例３における、２回目の視野検査後の確率密度関数ｆ（ｘ３）を示すプロットである。
【発明を実施するための形態】
【００２４】
以下、本発明の実施の形態について図面を参照しつつ詳細に説明する。
本実施形態においては、次の順序で説明を行う。なお、「〜」は所定の数値以上且つ所定の数値以下を表す。
１．視野検査装置
１−１．第１の確率密度関数取得部
１−２．刺激閾値決定部
１−３．検査結果取得部
１−４．第２の確率密度関数取得部
１−５．判定部
２．視野検査装置の制御方法
３．視野検査プログラム
４．実施の形態による効果
５．変形例等
なお、以下に記載が無い構成については、公知の視野検査装置を用いても構わない。例えば、本出願人による特許第５８２６９０２号に記載の構成や、同じく本出願人による特開２０１７−１９２５６４号公報に記載の構成を適宜採用しても構わない。なお、視野検査装置はＨＭＤ（ヘッドマウントディスプレイ）型のものと制御コンピュータ部とを接続したものであってもよいし、据え置き型であってもよい。
【００２５】
図１は、本実施形態の視野検査装置にて各部が行う工程（視野検査装置の制御方法）を示すフローチャートである。以下、図１を用いて説明する。
【００２６】
＜１．視野検査装置＞
１−１．第１の確率密度関数取得部
第１の確率密度関数取得部により第１の確率密度関数取得工程（１）を行う。本工程では、１回目の視野検査にて得られる結果値ｘ１に対する確率密度関数ｆ（ｘ１）を得る。この確率密度関数ｆ（ｘ１）は、以下の項目のうち少なくとも２つを採用した条件下で得られる。
・被検者にとっての前回検査時からの経過年数
・年齢
・検査座標
・既往有無
・病名
・病期
・過去の視野検査における推定閾値
・過去の視野検査結果に対する信頼性を示す指標
【００２７】
「被検者にとっての前回検査時からの経過年数」とは、その名の通り、視野検査を行ってからの年数である。「年齢」も、その名の通りである。
【００２８】
「検査座標」とは、特許文献１に記載のスクリーニング検査及び閾値検査にて使用される検査ポイントのことであり、所定の輝度を有する点である。この検査ポイントが被検者に視標として提示される。なお、本実施形態における視標は、視野を検査するために表示されるものであり、特に限定は無い。
【００２９】
「既往有無」とはその名の通りであり、例えば緑内障を患っている（又は患っていた）か否かを示す。「病名」とはその名の通りであり、例えば緑内障が挙げられる。「既往有無」と「病名」はまとめて「緑内障既往有無」という項目にしてもよい。「病期」とは例えば緑内障の進行度合いを意味する。
【００３０】
「過去に視野検査で用いた推定閾値」は以下の通りである。
【００３１】
従来の視野検査だと一つの検査終了時には一つの検査値が得られる。ただ、この検査値はあくまで推定値であり、被検者の状態が相当反映された値ではあるが、完全に反映された値とは限らない。この点は、本実施形態にて最終的に得られる検査値についても同様である。
【００３２】
そのため本明細書においては、本実施形態の視野装置を用いた検査の終了時に得られる一つの検査値（及び、後で詳述するが判定工程（５）の標準偏差σである所定値の決定に用いられるｘの値）に加え、従来の視野検査の終了時に得られる一つの検査値のことを、推定閾値と称する。
【００３３】
過去に視野検査で用いた推定閾値の項目を採用する場合、以下のように確率密度関数を得る。
例えば２１ｄＢの視標が認識され且つ次の視野検査では２７ｄＢの視標が認識されたサンプルがあった場合を想定する。過去の推定閾値が２１ｄＢの場合の確率密度関数（例えば図２（ａ）のような形式のプロット）の横軸２７ｄＢのサンプル数に加える。このようにサンプル数を蓄積することにより、過去に視野検査で用いた推定閾値が２１ｄＢの場合の確率密度関数を得る。
【００３４】
なお、本明細書において、視野検査における検査値（ｄＢ）は、値が大きいほど暗い視標でも被検者はよく認識できる（すなわち視野として良好な状態である）ことを表し、値が小さいほど明るい視標でも被検者はあまり認識できない（すなわち視野として不良な状態である）ことを表す。
【００３５】
「過去の視野検査結果に対する信頼性を示す指標」とは、本出願人による特開２０１７−１９２５６４号公報に記載の信頼性視標のことである。本明細書においては、信頼性指標は、信頼性の高さを示す指標であり、検査結果から離れた数値条件における、通常ではあり得ない回答の数に基づき得られる結果である。
【００３６】
信頼性視標については特開２０１７−１９２５６４号公報に記載している。特開２０１７−１９２５６４号公報における信頼性指標の記載は、本明細書において全て記載されているものとする。
【００３７】
次に、ビッグデータについて説明する。本実施形態にて使用するビッグデータとしては、各視野検査装置にて入力される種々の被検者に係るデータを蓄積したものが挙げられる。このビッグデータは通信回線を通じて別の場所のサーバから入手してもよい。ただ、ビッグデータの代わりに、又はデータが蓄積される前の段階においては、上記各項目に対してビッグデータの代わりに代表的なデータを用意してもよい。
【００３８】
本工程にてビッグデータを利用する一具体例を挙げる。被検者が視野検査を開始する際に、上記の各項目のうち「年齢：４０歳」「検査座標：［−２７，−３］」を選択する。
【００３９】
そうすると、各地での視野検査により蓄積されたビッグデータから、「年齢：４０歳」「検査座標：［−２７，−３］」の条件に合致したデータが抽出される。そして、上記抽出されたデータに基づいて、上記２つの条件を満たした種々の被検者が視野検査を行った結果、どの輝度の視標なら確認できたかについてのデータを集計する。そして、一つの変数（プロットの横軸）を閾値（ｄＢ）、もう一つの変数（プロットの縦軸）を頻度（すなわち確率密度）とした第１の確率密度関数を作成し、これを取得する。
【００４０】
図２（ａ）は、「年齢：４０歳」「検査座標：［−２７，−３］」を選択した場合の確率密度関数ｆ（ｘ１）を示すプロットである。
【００４１】
図２（ｂ）は、「年齢：７０歳」「検査座標：［−２７，−３］」を選択した場合の確率密度関数ｆ（ｘ１）を示すプロットである。
【００４２】
上記以外の項目であっても同様に、各地での視野検査により蓄積されたビッグデータから、選択された２つ以上の項目の組み合わせの条件に合致したデータが抽出される。そして、上記抽出されたデータに基づいて、選択された条件を満たした種々の被検者が視野検査を行った結果どの輝度の視標なら確認できたかについてのデータを集計する。そして、横軸を閾値（ｄＢ）、縦軸を頻度とした第１の確率密度関数を作成し、これを取得する。
【００４３】
図３（ａ）は、「年齢：４０歳」「検査座標：［−２７，−３］」を選択した場合の確率密度関数ｆ（ｘ１）を示すプロットである。図３（ａ）は図２（ａ）と同じであるが、図３（ｂ）と比較しやすくするために再掲している。
【００４４】
図３（ｂ）は、「年齢：４０歳」「検査座標：［−９，−３］」を選択した場合の確率密度関数ｆ（ｘ１）を示すプロットである。
【００４５】
図４（ａ）は、「年齢：４０歳」「検査座標：［−２７，−３］」「緑内障既往有無：無し」を選択した場合の確率密度関数ｆ（ｘ１）を示すプロットである。
【００４６】
図４（ｂ）は、「年齢：４０歳」「検査座標：［−２７，−３］」「緑内障既往有無：有り（罹患中）」を選択した場合の確率密度関数ｆ（ｘ１）を示すプロットである。
【００４７】
なお、プロットの横軸を推定閾値とせず単に「閾値」としているのには理由がある。その理由は以下の通りである。
【００４８】
本実施形態においては、最終的に検査値として得られる推定閾値とは別に「刺激閾値」がある。「刺激閾値」とは、後述の検査結果取得工程（３）すなわち視野検査の結果を取得する工程を行う際の視野検査の視標として採用する輝度のことである。
【００４９】
詳しくは後述するが、刺激閾値決定工程（２）において、確率密度関数ｆ（ｘ１）のｘ１の範囲から、検査結果取得工程（３）にて採用される視標の輝度すなわち刺激閾値ｔ１を設定する。そのため、図２（ａ）（ｂ）のプロットの横軸の閾値は、刺激閾値ｔ１となり得る値である。
【００５０】
その一方、後述の第２の確率密度関数取得工程（４）にて得られる確率密度関数ｆ（ｘ２）のプロットの横軸は、推定閾値となる場合もあり、刺激閾値となる場合もある。
【００５１】
判定工程（５）にて標準偏差σが所定値未満と判定されて検査が終了する場合、最も確率密度の高いｘ２が最終的に得られる検査値すなわち推定閾値となる。逆に、標準偏差σが所定値以上だと、確率密度関数ｆ（ｘ２）に基づいて刺激閾値決定工程（２）を再度行うことになる。その場合、確率密度関数ｆ（ｘ２）のプロットの横軸は刺激閾値となる。
【００５２】
つまり、判定工程（５）の結果に応じて確率密度関数ｆ（ｘ２）のプロットの横軸は推定閾値となったり刺激閾値となったりするため、単に「閾値」と称している。なお、過去に視野検査で用いた刺激閾値を、第１の確率密度関数取得工程（１）の項目として採用することは排除しない。
【００５３】
以上が、本工程で行う内容であり、第１の確率密度関数取得部が奏する機能である。
【００５４】
１−２．刺激閾値決定部
刺激閾値決定部により刺激閾値決定工程（２）を行う。本工程により、確率密度関数ｆ（ｘ１）のｘ１の範囲から刺激閾値ｔ１を設定する。
【００５５】
「確率密度関数ｆ（ｘ１）のｘ１の範囲」とは、確率密度が存在する最小値から確率密度が存在する最大値までのｘ１の範囲のことを指す。図２（ａ）でいうと０〜３４ｄＢの範囲が該当する。この表現が示すように、この範囲の中間に、確率密度ゼロのｘ１が存在しても構わない。
この構成により、後述の第２の確率密度関数取得工程（４）の際に、不要な確率密度すなわち刺激閾値ｔ１以上又はｔ１未満の確率密度を減じられる。その結果、視野検査に要する時間を短縮できる。
【００５６】
また、確率密度累計１０〜９０％（好ましくは３０〜７０％、より好ましくは３５〜６５％、更に好ましくは４０〜６０％）の範囲内の結果値ｘ１を刺激閾値ｔ１に設定してもよい。
【００５７】
なお、上記条件を満たし且つランダムにｔ１を設定してもよいが、演算部により、視野検査の回数が最小となるようなｔ１を設定してもよい（詳しくは後述）。
【００５８】
１−３．検査結果取得部
検査結果取得部により検査結果取得工程（３）を行う。本工程により、１回目の視野検査にてｔ１以上の結果が得られるか否かの検査結果を得る。
【００５９】
本工程の具体的な内容としては、被検者に対し、輝度がｔ１（ｄＢ）である視標を呈示し、被検者が該視標を認識できるか否かの検査結果を得る。
【００６０】
この検査結果取得部としては視野計が挙げられる。なお、視野計以外の構成としては、視野計は遠隔地に配置しておき、視野計により得られた検査結果を、本実施形態における視野検査装置の検査結果取得部が取得するという構成が挙げられる。
【００６１】
１−４．第２の確率密度関数取得部
第２の確率密度関数取得部により第２の確率密度関数取得工程（４）を行う。本工程により、ｔ１以上の検査結果が得られた場合は、確率密度関数ｆ（ｘ１）にてｔ１未満の確率密度を減じてなる確率密度関数ｆ（ｘ２）を得る。詳しく言うと、被検者が所定の輝度（ここではｔ１（ｄＢ））の視標を認識できた場合、最終的に得られる検査値は、ほぼｔ１（ｄＢ）以上となると予測される。そのため、確率密度関数ｆ（ｘ１）におけるｔ１（ｄＢ）未満の確率密度については排除又は減じてよい。
【００６２】
その一方、ｔ１以上の結果が得られなかった場合は、確率密度関数ｆ（ｘ１）にてｔ１以上の確率密度を減じてなる確率密度関数ｆ（ｘ２）を得る。詳しく言うと、被検者が所定の輝度（ここではｔ１（ｄＢ））の視標を認識できなかった場合、最終的に得られる検査値は、ほぼｔ１（ｄＢ）未満となると予測される。そのため、確率密度関数ｆ（ｘ１）におけるｔ１（ｄＢ）以上の確率密度を排除又は減じてよい。
【００６３】
なお、確率密度を排除又は減じた後、全てのｘ２の値における確率密度を合計した値を１００％に換算し直して確率密度関数ｆ（ｘ２）を得てもよい。
【００６４】
確率密度関数ｆ（ｘ１）にて確率密度を減じる際の具体的な手法は任意でよい。例えば、確率密度関数ｆ（ｘ１）に対して応答関数を乗じることにより確率密度を減じてもよい。
【００６５】
この応答関数は、例えば、ｔ１未満の確率密度を減ずる場合、確率密度関数ｆ（ｘ１）において、ｔ１から−３ｄＢより多く減らしたｘ１においては０を乗じ、ｔ１に対して３ｄＢより多く増やしたｘ１においては１を乗じ、ｔ１の±３ｄＢの範囲のｘ１においては−１〜＋１の間の値であっておおよそ一次関数的に比例した値を乗じてもよい。
【００６６】
逆に、ｔ１以上の確率密度を減ずる場合、確率密度関数ｆ（ｘ１）において、ｔ１から−３ｄＢより多く減らしたｘ１においては１を乗じ、ｔ１に対して３ｄＢより多く増やしたｘ１においては０を乗じ、ｔ１の±３ｄＢの範囲のｘ１においては−１〜＋１の間の値であっておおよそ一次関数的に反比例した値を乗じてもよい。
【００６７】
ちなみに、２回目以降の視野検査後に使用する応答関数は、上記応答関数を変形させたもの又は別のものを用いてもよい。
【００６８】
例えば後述の実施例にて示すように、２回目の視野検査後の場合、視認できた場合の応答関数と視認できなかった場合の応答関数との交点が２回目の視野検査で採用した刺激閾値ｔ２（３回目の場合はｔ３）となるように設定してもよい。
そして、ｔ１の±３ｄＢの範囲のｘ１において−１〜＋１の間の値であっておおよそ一次関数的に比例した値を有する“視認できた場合の応答関数”、及び、反比例した値を有する“視認できなかった場合の応答関数”を作成してもよい。
【００６９】
なお、上記の±３ｄＢという値はあくまで一例であり、±１〜１０ｄＢであってもよい。
また、応答関数についても、不要となった確率密度を排除又は減じられるならば、上記態様には限定されない。
【００７０】
更に、応答関数を乗じるのではなく、刺激閾値ｔ１以上又は未満の確率密度を、刺激閾値ｔ１を残し、除去しても構わない。被検者が視標の認識を誤る可能性を鑑み、刺激閾値ｔ１近傍のｘ１の確率密度は残存させておくのが好ましい。だからこそ上記の確率密度関数ｆ（ｘ１）では、ｔ１の±３ｄＢの範囲のｘ１において−１〜＋１の間の値であっておおよそ一次関数的に比例又は反比例した値を乗じている。
【００７１】
１−５．判定部
判定部により判定工程（５）を行う。本工程では、確率密度関数ｆ（ｘ２）の標準偏差σが所定値未満に収まる状態になったか否かを判定する。
【００７２】
標準偏差σが所定値未満に収まる状態になった場合は、確率密度関数ｆ（ｘ２）で最も確率密度の高いｘ２の値を検査値とみなすことで検査を終了する。標準偏差σが所定値未満の状態の、最も確率密度の高いｘ２の値は、被検者の実際の検査値である可能性が非常に高い。そのため、視野検査に要する時間を短縮でき且つ正確な検査値を得られる。
【００７３】
前記所定値は例えば０．５〜１０．０ｄＢの間で適宜設定してもよい。また、前記所定値を数式により設定してもよい。例えば後述の実施例１においては以下の式を用いて所定値を設定している。
標準偏差σ＝ａｂｓ（２０−ｘ）＊（−０．１）＋４．０
【００７４】
この式に使用するｘの値としては、判定工程（５）時には既に作成されている確率密度関数ｆ（ｘ２）の平均値としてのｘ２であってもよいし、中央値としてのｘ２であってもよいし、後述の実施例にて採用するように最頻値すなわち最も確率密度が高いｘ２であってもよい。また、後述の実施例にて採用するように、前記（２）（３）（４）（５）の繰り返しごとに、ｘ２、ｘ３、ｘ４の値に応じて前記所定値を変化させても構わない。もちろん、前記所定値を固定値としてもよい。
【００７５】
なお、上記ｘ４が最終的な検査値（推定閾値）となる場合、上記ｘ３は厳密に言えば最終的な検査値ではない。その一方、一回の検査を経て得られた値には違い無い。そこで、標準偏差σである所定値の決定に用いられた実績を加味し、上記ｘ３を、第１の確率密度関数取得工程（１）における項目「過去に視野検査で用いた推定閾値」とみなし、上記ｘ３の次回の検査値が上記ｘ４であるというデータをビッグデータの一部として蓄積させてもよい。同様に、上記ｘ２も同様に「過去に視野検査で用いた推定閾値」とみなし、上記ｘ２の次回の検査値が上記ｘ３であるというデータをビッグデータの一部として蓄積させてもよい。こうすることによりビッグデータの蓄積速度を高め、ひいては、本実施形態の視野検査装置を使用することによって更に正確な検査値が得られるようになる。
【００７６】
なお、第１の確率密度関数取得工程（１）にて採用する項目に応じ、上記式を変形させてもよいし別の式を使用してもよい。
【００７７】
その一方、標準偏差σが所定値未満に収まる状態にならなかった場合は、前記（２）（３）（４）（５）を再度繰り返す。繰り返す際に、前記（２）（３）（４）（５）の記載に対し、以下の置き換えを行う。
・１回目を２回目と置き換える。
・ｘ２をｘ３と置き換える。
・ｘ１をｘ２と置き換える。
・刺激閾値ｔ１をｔ２と置き換える。
・第２の確率密度関数取得工程を第３の確率密度関数取得工程と置き換える。
【００７８】
そして、検査結果に応じて確率密度を減じてなる確率密度関数ｆ（ｘ３）の標準偏差σが所定値未満に収まる状態になったと判定されるまで前記（２）（３）（４）（５）を順に繰り返す。なお、前記（２）（３）（４）（５）を行う回数は、検査時間の更なる短縮を図るべく、３回以下（３周以下）とするのが好ましい。
【００７９】
なお、前記（２）（３）（４）（５）の繰り返しを含めた各部の制御は、視野検査装置に設けられた制御コンピュータ部が行えばよい。
【００８０】
＜２．視野検査装置の制御方法＞
上記の＜１．視野検査装置＞を採用した視野検査装置の制御方法にも本発明の技術的特徴が反映されている。具体的に言うと、本実施形態の視野検査装置は、先ほど述べた各部が前記（１）（２）（３）（４）（５）を実行するように、制御コンピュータ部により制御すれば、本発明の効果が得られる。
【００８１】
＜３．視野検査プログラム＞
上記の＜１．視野検査装置＞をコンピュータ装置により実行する視野検査プログラムにも本発明の技術的特徴が反映されている。具体的に言うと、本実施形態の視野検査プログラムは、先ほど述べた第１の確率密度関数取得部、刺激閾値決定部、検査結果取得部、第２の確率密度関数取得部、及び判定部としてコンピュータ装置を機能させるプログラムである。判定部における判定内容は、＜２．視野検査装置＞にて述べた内容と同様なので省略する。
【００８２】
＜４．実施の形態による効果＞
本実施形態においては、実際に行った１回目の視野検査にて得られる結果値とビッグデータとから、検査を収束させるための終了条件を決定する。
それにより、視野検査に要する時間を短縮でき且つ正確な検査値を得る、視野検査装置、その制御方法及び視野検査プログラムを提供できる。
【００８３】
＜５．変形例等＞
本発明は、上述した実施形態の内容に限定されることはなく、その要旨を逸脱しない範囲で適宜変更することが可能である。また、上記の各構成や好適例を組み合わせることも可能である。
【００８４】
本実施形態においては、確率密度関数ｆ（ｘ１）の確率密度が分かれるならば、刺激閾値ｔ１をどのように決めても構わない。ただし、（４）にて不要な確率密度を効率的に減じるべく、視野検査の回数が最小となるようなｔ１を演算により算出する演算工程を行う演算部（その制御、実行するプログラム）を別途設けてもよい。
【００８５】
具体例を挙げると、最終的に確率密度関数の標準偏差σが所定値（例えば１．０〜３．５ｄＢ）に収まるよう逆算する。そして、１回目の視野検査での刺激閾値ｔ１、２回目の視野検査での刺激閾値ｔ２、３回目の視野検査での刺激閾値ｔ３に具体的な数値を設定したときの検査回数をシミュレーションする。そして、シミュレーション結果の中から視野検査の回数が最小となるような刺激閾値を設定してもよい。
【００８６】
本実施形態においては、前回検査時からの経過年数等の各項目のうち少なくとも２つを採用した条件下での確率密度関数を得た。その一方、各項目のうち少なくとも１つを採用した条件下での確率密度関数を得てもよい。但し、採用する項目を複数にする方が、被検者の個別事情を刺激閾値に更に反映でき、より正確な検査値が得られる。
【００８７】
本実施形態においては視野検査を行う場合について例示した。その一方、何らかの閾値を使用して視標が認識できるかできないかを判断する類の視覚検査であれば、視野検査に限定されない。
【実施例】
【００８８】
以下、本実施例について説明する。なお、本発明の技術的範囲は、以下の実施例に限定されるものではない。
【００８９】
［実施例１］
本実施形態におけるＨＭＤを使用した視野検査装置を用いて被検者Ａに対し視野検査を実行した。
【００９０】
被検者Ａの情報のうち「年齢：４０歳」「検査座標：［−２７，−３］」の項目を採用し、第１の確率密度関数取得工程（１）を行った。
【００９１】
図５（ａ）は、実施例１における、「年齢：４０歳」「検査座標：［−２７，−３］」を選択した場合の確率密度関数ｆ（ｘ１）を示すプロットである。図５（ａ）は図２（ａ）と同じであるが、図５（ｂ）〜（ｄ）と比較しやすくするために再掲している。
【００９２】
＜１周目＞
確率密度関数ｆ（ｘ１）のｘ１の範囲から２１ｄＢを刺激閾値ｔ１に設定した（刺激閾値決定工程（２））。なお、２１ｄＢの値は確率密度関数ｆ（ｘ１）のｘ１の平均値である。以降の刺激閾値決定工程（２）において同様とする。
【００９３】
そして、１回目の視野検査にて２１ｄＢ以上の結果が得られるか否かの検査結果を得る検査結果取得工程（３）を視野計にて行った。その結果、被検者は視標を認識できた、という結果を得た。
【００９４】
２１ｄＢ以上の検査結果が得られたので、第２の確率密度関数取得工程（４）により、確率密度関数ｆ（ｘ１）にて２１ｄＢ未満の確率密度を減じてなる確率密度関数ｆ（ｘ２）を得た。その際、確率密度を排除又は減じた後、全てのｘ２の値における確率密度を合計した値を１００％に換算し直して確率密度関数ｆ（ｘ２）を得た。以降、特記しない限り、応答関数を乗じた後は同様の処理を行っている。
図５（ｂ）は、実施例１における、１回目の視野検査後の確率密度関数ｆ（ｘ２）を示すプロットである。
【００９５】
なお、確率密度関数ｆ（ｘ１）の確率密度を減じる際に、図６に示す応答関数のうち視認できた場合の応答関数を確率密度関数ｆ（ｘ１）に乗じた。
図６は、実施例１における１回目の視野検査後に使用する応答関数を示すプロットである。
【００９６】
ちなみに、実施例１での２回目以降の視野検査後に使用する応答関数、及び、他の実施例での応答関数は、以下のように準備した。
【００９７】
実施例１での２回目の視野検査後に使用する応答関数は、視認できた場合の応答関数と視認できなかった場合の応答関数との交点が２回目の視野検査で採用した刺激閾値ｔ２（後述の２３ｄＢ）となるように設定した。
【００９８】
そして、視認できた場合は、ｔ２の±３ｄＢの範囲のｘ２において−１〜＋１の間の値であっておおよそ一次関数的に比例させた応答関数を確率密度関数ｆ（ｘ２）に乗じ、視認できなかった場合は反比例させた応答関数を確率密度関数ｆ（ｘ２）に乗じた。
【００９９】
実施例１の３回目の視野検査後についても、他の実施例についても、上記手法にて応答関数を作成した。
【０１００】
そして、確率密度関数ｆ（ｘ２）の標準偏差σが所定値３．４ｄＢ（＝（−０．１）＊ａｂｓ（２０−２６）＋４．０）未満に収まる状態になったか否かを判定する判定工程（５）を行った。その結果、１回目の視野検査では、標準偏差σが３．４ｄＢ未満に収まる状態にならなかった。所定値である標準偏差σを求める際の推定閾値は、確率密度が最大となるときのｘ２すなわち最頻値としてのｘ２とした。以降、同様とする。
【０１０１】
＜２周目＞
そのため、再度（２）（３）（４）（５）を順に繰り返した。
詳しく言うと、確率密度関数ｆ（ｘ２）のｘ２の範囲から２３ｄＢを刺激閾値ｔ２に設定した（刺激閾値決定工程（２））。
【０１０２】
そして、２回目の視野検査にて２３ｄＢ以上の結果が得られるか否かの検査結果を得る検査結果取得工程（３）を視野計にて行った。その結果、被検者は視標を認識できた、という結果を得た。
【０１０３】
２３ｄＢ以上の検査結果が得られたので、第２の確率密度関数取得工程（４）により、確率密度関数ｆ（ｘ２）にて２３ｄＢ未満の確率密度を減じてなる確率密度関数ｆ（ｘ３）を得た。
図５（ｃ）は、実施例１における、２回目の視野検査後の確率密度関数ｆ（ｘ３）を示すプロットである。
【０１０４】
そして、確率密度関数ｆ（ｘ３）の標準偏差σが３．３ｄＢ（＝（−０．１）＊ａｂｓ（２０−２７）＋４．０）未満に収まる状態になったか否かを判定する判定工程（５）を行った。その結果、２回目の視野検査でも、標準偏差σが３．３ｄＢ未満に収まる状態にならなかった。
【０１０５】
＜３周目＞
そのため、再々度（２）（３）（４）（５）を順に繰り返した。
詳しく言うと、確率密度関数ｆ（ｘ３）のｘ３の範囲から２６ｄＢを刺激閾値ｔ３に設定した（刺激閾値決定工程（２））。
【０１０６】
そして、３回目の視野検査にて２６ｄＢ以上の結果が得られるか否かの検査結果を得る検査結果取得工程（３）を視野計にて行った。その結果、被検者は視標を認識できた、という結果を得た。
【０１０７】
２３ｄＢ以上の検査結果が得られたので、第２の確率密度関数取得工程（４）により、確率密度関数ｆ（ｘ３）にて２６ｄＢ未満の確率密度を減じてなる確率密度関数ｆ（ｘ４）を得た。
図５（ｄ）は、実施例１における、３回目の視野検査後の確率密度関数ｆ（ｘ４）を示すプロットである。
【０１０８】
そして、確率密度関数ｆ（ｘ４）の標準偏差σが３．１ｄＢ（＝（−０．１）＊ａｂｓ（２０−２９）＋４．０）未満に収まる状態になったか否かを判定する判定工程（５）を行った。その結果、標準偏差σが３．１ｄＢ未満に収まる状態になった。確率密度関数ｆ（ｘ４）で最も確率密度の高いｘ４の値は２９ｄＢであった。
【０１０９】
以上の工程を経て、最終的に得られた検査値を２９ｄＢとし、視野検査を終了した。
【０１１０】
［実施例２］
本実施形態の視野検査装置を用いて被検者Ｂに対し視野検査を実行した。
【０１１１】
実施例１と同様、被検者Ｂの情報のうち「年齢：４０歳」「検査座標：［−２７，−３］」の項目を採用し、第１の確率密度関数取得工程（１）を行った。
【０１１２】
図７（ａ）は、実施例２における、「年齢：４０歳」「検査座標：［−２７，−３］」を選択した場合の確率密度関数ｆ（ｘ１）を示すプロットである。図７（ａ）は図２（ａ）と同じであるが、図７（ｂ）〜（ｄ）と比較しやすくするために再掲している。
【０１１３】
＜１周目＞
確率密度関数ｆ（ｘ１）のｘ１の範囲から２１ｄＢを刺激閾値ｔ１に設定した（閾値決定工程（２））。
【０１１４】
そして、１回目の視野検査にて２１ｄＢ以上の結果が得られるか否かの検査結果を得る検査結果取得工程（３）を視野計にて行った。その結果、被検者は視標を認識できなかった、という結果を得た。
【０１１５】
２１ｄＢ以上の検査結果が得られなかったので、第２の確率密度関数取得工程（４）により、確率密度関数ｆ（ｘ１）にて２１ｄＢ以上の確率密度を減じてなる確率密度関数ｆ（ｘ２）を得た。
図７（ｂ）は、実施例２における、１回目の視野検査後の確率密度関数ｆ（ｘ２）を示すプロットである。
【０１１６】
そして、確率密度関数ｆ（ｘ２）の標準偏差σが所定値３．９ｄＢ（＝（−０．１）＊ａｂｓ（２０−１９）＋４．０）未満に収まる状態になったか否かを判定する判定工程（５）を行った。その結果、１回目の視野検査では、標準偏差σが３．９ｄＢ未満に収まる状態にならなかった。
【０１１７】
＜２周目＞
そのため、再度（２）（３）（４）（５）を順に繰り返した。
詳しく言うと、確率密度関数ｆ（ｘ２）のｘ２の範囲から１５ｄＢを刺激閾値ｔ２に設定した（刺激閾値決定工程（２））。
【０１１８】
そして、２回目の視野検査にて１５ｄＢ以上の結果が得られるか否かの検査結果を得る検査結果取得工程（３）を視野計にて行った。その結果、被検者は視標を認識できなかった、という結果を得た。
【０１１９】
１５ｄＢ以上の検査結果が得られなかったので、第２の確率密度関数取得工程（４）により、確率密度関数ｆ（ｘ２）にて１５ｄＢ以上の確率密度を減じてなる確率密度関数ｆ（ｘ３）を得た。
図７（ｃ）は、実施例２における、２回目の視野検査後の確率密度関数ｆ（ｘ３）を示すプロットである。
【０１２０】
そして、確率密度関数ｆ（ｘ３）の標準偏差σが３．３ｄＢ（＝（−０．１）＊ａｂｓ（２０−１３）＋４．０）未満に収まる状態になったか否かを判定する判定工程（５）を行った。その結果、２回目の視野検査でも、標準偏差σが３．３ｄＢ未満に収まる状態にならなかった。
【０１２１】
＜３周目＞
そのため、再々度（２）（３）（４）（５）を順に繰り返した。
詳しく言うと、確率密度関数ｆ（ｘ３）のｘ３の範囲から４ｄＢを刺激閾値ｔ３に設定した（刺激閾値決定工程（２））。
【０１２２】
そして、３回目の視野検査にて４ｄＢ以上の結果が得られるか否かの検査結果を得る検査結果取得工程（３）を視野計にて行った。その結果、被検者は視標を認識できた、という結果を得た。
【０１２３】
４ｄＢ以上の検査結果が得られなかったので、第２の確率密度関数取得工程（４）により、確率密度関数ｆ（ｘ３）にて４ｄＢ以上の確率密度を減じてなる確率密度関数ｆ（ｘ４）を得た。
図７（ｄ）は、実施例２における、３回目の視野検査後の確率密度関数ｆ（ｘ４）を示すプロットである。
【０１２４】
そして、確率密度関数ｆ（ｘ４）の標準偏差σが２．０ｄＢ（＝（−０．１）＊ａｂｓ（２０−０）＋４．０）未満に収まる状態になったか否かを判定する判定工程（５）を行った。その結果、標準偏差σが２．０ｄＢ未満に収まる状態になった。確率密度関数ｆ（ｘ４）で最も確率密度の高いｘ４の値は０ｄＢであった。
【０１２５】
以上の工程を経て、最終的に得られた検査値を０ｄＢとし、視野検査を終了した。
【０１２６】
［実施例３］
本実施形態の視野検査装置を用いて被検者Ｃに対し視野検査を実行した。
【０１２７】
被検者Ｃの情報のうち「年齢：４０歳」「検査座標：［−２７，−３］」「緑内障既往有無：有り（罹患中）」の項目を採用し、第１の確率密度関数取得工程（１）を行った。
【０１２８】
図８（ａ）は、実施例３における、「年齢：４０歳」「検査座標：［−２７，−３］」「緑内障既往有無：有り（罹患中）」を選択した場合の確率密度関数ｆ（ｘ１）を示すプロットである。図８（ａ）は図４（ｂ）と同じであるが、図８（ｂ）〜（ｃ）と比較しやすくするために再掲している。
【０１２９】
＜１周目＞
確率密度関数ｆ（ｘ１）のｘ１の範囲から１５ｄＢを刺激閾値ｔ１に設定した（刺激閾値決定工程（２））。
【０１３０】
そして、１回目の視野検査にて１５ｄＢ以上の結果が得られるか否かの検査結果を得る検査結果取得工程（３）を視野計にて行った。その結果、被検者は視標を認識できなかった、という結果を得た。
【０１３１】
１５ｄＢ以上の検査結果が得られなかったので、第２の確率密度関数取得工程（４）により、確率密度関数ｆ（ｘ１）にて１５ｄＢ以上の確率密度を減じてなる確率密度関数ｆ（ｘ２）を得た。
図８（ｂ）は、実施例３における、１回目の視野検査後の確率密度関数ｆ（ｘ２）を示すプロットである。
【０１３２】
そして、確率密度関数ｆ（ｘ２）の標準偏差σが所定値２．０ｄＢ（＝（−０．１）＊ａｂｓ（２０−０）＋４．０）未満に収まる状態になったか否かを判定する判定工程（５）を行った。その結果、１回目の視野検査では、標準偏差σが２．０ｄＢ未満に収まる状態にならなかった。
【０１３３】
＜２周目＞
そのため、再度（２）（３）（４）（５）を順に繰り返した。
詳しく言うと、確率密度関数ｆ（ｘ２）のｘ２の範囲から５ｄＢを刺激閾値ｔ２に設定した（刺激閾値決定工程（２））。
【０１３４】
そして、２回目の視野検査にて５ｄＢ以上の結果が得られるか否かの検査結果を得る検査結果取得工程（３）を視野計にて行った。その結果、被検者は視標を認識できなかった、という結果を得た。
【０１３５】
５ｄＢ以上の検査結果が得られなかったので、第２の確率密度関数取得工程（４）により、確率密度関数ｆ（ｘ２）にて５ｄＢ以上の確率密度を減じてなる確率密度関数ｆ（ｘ３）を得た。
図８（ｃ）は、実施例３における、２回目の視野検査後の確率密度関数ｆ（ｘ３）を示すプロットである。
【０１３６】
そして、確率密度関数ｆ（ｘ３）の標準偏差σが２．０ｄＢ（＝（−０．１）＊ａｂｓ（２０−０）＋４．０）未満に収まる状態になったか否かを判定する判定工程（５）を行った。その結果、標準偏差σが２．０ｄＢ未満に収まる状態になった。確率密度関数ｆ（ｘ３）で最も確率密度の高いｘ３の値は０ｄＢであった。
【０１３７】
以上の工程を経て、最終的に得られた検査値を０ｄＢとし、視野検査を終了した。
【０１３８】
以上、本実施例によれば、視野検査に要する時間を短縮でき且つ正確な検査値を得る、視野検査装置、その制御方法及び視野検査プログラムを提供できる。
【図１】
2019162254.tif 000003
【図２】
2019162254.tif 000004
【図３】
2019162254.tif 000005
【図４】
2019162254.tif 000006
【図５】
2019162254.tif 000007
【図６】
2019162254.tif 000008
【図７】
2019162254.tif 000009
【図８】
2019162254.tif 000010